(57)【要約】  本発明は、ゴルフ付属品、特にゴルフ・クラブおよびゴルフ・ボールを洗浄するための装置であって、洗浄液を充てんすることができる洗浄容器（２１）を含む少なくとも１つの洗浄ユニット（１６）を収容するためのハウジング（１２）と、洗浄容器（２１）に付属して、洗浄容器の中に位置する洗浄液の中に超音波を発生させる超音波発生器（２９）とを有し、噴霧ユニット（４１）が洗浄ユニット（１６）の中の洗浄液の液面レベルの上方に備えられ、前記噴霧ユニットは、洗浄容器（２１）の中の洗浄液の表面を少なくとも部分的に覆って広がる噴霧カーテンを形成する装置に関する。
2008534187.tif 000002
【特許請求の範囲】
【請求項１】
洗浄液を充てんすることができる洗浄容器（２１）を含む少なくとも１つの洗浄ユニット（１６）を収容するためのハウジング（１２）と、前記洗浄容器（２１）に付属して、前記洗浄容器（２１）の中に位置する洗浄液の中に超音波を発生させる超音波発生器（２９）とを有する、ゴルフ付属品、特にゴルフ・クラブとゴルフ・ボールを洗浄するための装置であって、前記洗浄容器（２１）における前記洗浄液の表面上に少なくとも部分的に広がる噴霧カーテンを形成する噴霧ユニット（４１）が、前記洗浄ユニット（１６）の中の洗浄液の液面レベルの上方に備えられていることを特徴とする装置。
【請求項２】
前記噴霧ユニット（４１）が、少なくとも１つの噴霧ノズル（４２）、噴射ノズル、または平型噴霧ノズルを備えることを特徴とする請求項１に記載の装置。
【請求項３】
前記噴霧ノズル（４２）が少なくとも１つの少なくとも３０°の噴射角を有し、複数の噴霧ノズル（４２）が、その噴射角が少なくとも部分的に重なり合うように互いに対して形成されることを特徴とする請求項１または２に記載の装置。
【請求項４】
前記少なくとも１つの噴霧ノズル（４２）が、前記液面レベルに対して水平にまたは傾斜して配置されていることを特徴とする先行する請求項のいずれか一項に記載の装置。
【請求項５】
前記少なくとも１つの噴霧ノズル（４２）が、真水を分配するために備えられていることを特徴とする先行する請求項のいずれか一項に記載の装置。
【請求項６】
前記少なくとも１つの噴霧ノズル（４２）が、超音波洗浄動作が終わった後に真水を分配することを特徴とする先行する請求項のいずれか一項に記載の装置。
【請求項７】
噴霧過程の持続時間が、これが時間に関して制限されるように制御されることを特徴とする先行する請求項のいずれか一項に記載の装置。
【請求項８】
前記少なくとも１つの噴霧ノズル（４２）が、空になった洗浄容器（２１）の次に続く洗浄のために備えられることを特徴とする先行する請求項のいずれか一項に記載の装置。
【請求項９】
前記洗浄ユニット（１６）が、前記洗浄容器（２１）の中の前記洗浄液の前記液面レベルの上方に、特に前記噴霧ノズル（４２）の上方に、少なくとも１つの空気ノズルを有することを特徴とする先行する請求項のいずれか一項に記載の装置。
【請求項１０】
前記少なくとも１つの空気ノズルに圧縮空気が供給され、前記洗浄容器（２１）の上方には空気カーテンが少なくとも部分的に形成されることを特徴とする請求項９に記載の装置。
【請求項１１】
前記洗浄ユニット（１６）が、供給管路（２２）の中に配置された少なくとも１つの給液弁（２４）と、前記洗浄容器（２１）から出ている排出管路（２３）の中に配置された排出弁（２５）とを有し、制御ユニット（２６）が前記排出弁（２５）を作動させることが可能であることを特徴とする先行する請求項のいずれか一項に記載の装置。
【請求項１２】
前記入口弁（２４）が混合弁の形態をなし、前記混合弁を通じて真水と洗浄添加剤を前記洗浄容器（２１）に供給できることを特徴とする請求項１１に記載の装置。
【請求項１３】
備えられた前記出口弁（２５）がクランプ・バルブであることを特徴とする請求項１１に記載の装置。
【請求項１４】
洗浄液を充てんすることができる洗浄容器（２１）を含む少なくとも１つの洗浄ユニット（１６）を収容するためのハウジング（１２）と、前記洗浄容器（２１）に付属して、前記洗浄容器（２１）の中に位置する洗浄液の中に超音波を発生させる超音波発生器（２９）とを有し、前記洗浄ユニット（１６）に洗浄品目を出し入れするために開閉することができるハウジング閉鎖手段（１８）を有する、特に請求項１から１３のいずれか一項に記載のゴルフ付属品、特にゴルフ・クラブとゴルフ・ボールを洗浄するための装置であって、前記ハウジング閉鎖手段（１８）が回転可能な設計になっていることを特徴とする装置。
【請求項１５】
前記洗浄ユニット（１６）の使用許可の後に前記ハウジング閉鎖手段（１８）上の施錠手段が開錠され、前記ハウジング閉鎖手段（１８）が解放されることを特徴とする請求項１４に記載の装置。
【請求項１６】
開位置（４４）に配置された前記ハウジング閉鎖手段（１８）が保持デバイス（５１）によって保持されることを特徴とする請求項１４または１５のいずれかに記載の装置。
【請求項１７】
前記保持デバイス（５１）が電気作動式の保持機構の形態、特に磁気保持カップリングの形態をなすことを特徴とする請求項１６に記載の装置。
【請求項１８】
前記ハウジング閉鎖手段（１８）が、開位置（４４）における回転軸（５３）の外側にある重心を有し、前記ハウジング閉鎖手段（１８）が、その固有の重量によって自動的に閉じられることを特徴とする請求項１４から１７のいずれか一項に記載の装置。
【請求項１９】
前記ハウジング閉鎖手段（１８）の閉鎖移動が減衰手段（５４）によって減速されることを特徴とする請求項１４から１８のいずれか一項に記載の装置。
【請求項２０】
前記保持デバイス（５１）を開錠するための信号が、洗浄工程を開始する前に制御ユニット（２６）によって発信され、洗浄は前記ハウジング閉鎖手段（１８）が閉位置（５６）になった後に開始されることを特徴とする請求項１４から１９のいずれか一項に記載の装置。
【請求項２１】
前記洗浄ユニット（１６）が、前記洗浄ユニット（１６）の中のゴルフ付属品の存在を検出する、少なくとも１つのセンサ、特に光バリア、近接スイッチなどを含むことを特徴とする請求項１４から２０のいずれか一項に記載の装置。
【発明の詳細な説明】
【技術分野】
【０００１】
本発明は、請求項１のプリアンブルに記載の、ゴルフ付属品、特にゴルフ・クラブやゴルフ・ボールを洗浄するための装置に関する。
【背景技術】
【０００２】
特許文献ＷＯ９９／３４８７４は、少なくとも１つの洗浄ユニットを収容するためのハウジングを有するゴルフ付属品を洗浄するための装置を開示している。この洗浄ユニットは、洗浄液が充てんされた洗浄容器を含む。ゴルフ付属品を洗浄するために洗浄容器の中の液体に超音波を発生させる超音波発振器が、洗浄容器の上に備えられている。
【０００３】
クラブ面に大抵の場合付着する泥土の粒子は、超音波洗浄過程によって大部分を除去することができる。超音波はクラブ面から除去された泥土の粒子を分散させて、この結果、洗浄液は汚れる。特に、土の粒子は洗浄液の中で多少とも破砕される。洗浄過程の後、クラブは洗浄液から取り出される。この１つの欠点は、洗浄過程によって洗浄されたクラブに汚れた洗浄液が付着し、この結果、洗浄がかなり制限されることである。汚れた洗浄液が乾燥すると、灰白色の薄膜がクラブの上に見られる。これでは完全な洗浄はもたらされない。
【発明の開示】
【発明が解決しようとする課題】
【０００４】
したがって本発明の目的は、ゴルフ付属品の完全な洗浄を可能にする、ゴルフ付属品を洗浄するための装置を提供することである。
【課題を解決するための手段】
【０００５】
本発明によれば、この目的は、洗浄ユニット内の洗浄液の液面レベルの上方に噴霧ユニットを含み、この噴霧ユニットが洗浄液の表面の上方に少なくとも部分的に噴霧カーテンを発生させる、装置によって可能になる。この結果、ゴルフ付属品を、特にゴルフ・クラブのクラブ面を、クラブを洗浄液の中で超音波によって洗浄した後に、クラブを洗浄容器から取り出したとき、自動的に噴霧除塵することが可能である。洗浄液の中に分散してクラブを取り出したときにクラブに付着することがある泥土の粒子は、噴霧除塵過程によって除塵され除去される。したがって、ゴルフ付属品の洗浄結果は実質的に向上する。
【０００６】
噴霧ユニットに少なくとも１つの噴霧ノズルを備えることは有利である。代替案として、噴霧カーテンを形成するために、少なくとも１つのサージ・ノズルまたは平型噴霧ノズルを備えることができる。
【０００７】
上記の少なくとも１つの噴霧ノズルが少なくとも３０°の噴射角を有することは好ましい。噴射角が少なくとも部分的に重なり合うように、複数の噴霧ノズルを次々に配置することが好ましい。これによって、事実上完全に閉じた噴霧カーテンを洗浄ユニットの中に形成して、洗浄液の中にあるゴルフ付属品の品目を、これが取り出されるときに完全な噴霧除塵を確実に行うことができるようになる。
【０００８】
噴霧ユニットを形成するための噴霧ノズルは、洗浄容器内の液面レベルに対して水平にまたは傾斜して方向配置されることが好ましい。この結果、ゴルフ付属品を取り出す間に使用者が噴霧液によって決して濡れないようにすることができる。
【０００９】
各噴霧ノズルは、真水の結合部から個別に供給されることが好ましい。この結果、噴霧カーテンまたは真水を公共の水道管に備えられた圧力で分配することができる。噴霧ノズルに供給するための水が水槽によって供給される場合には、噴霧カーテンを生成するためにゴルフ付属品洗浄装置の中にポンプを準備できることが好ましい。さらに、ポンプによって噴射圧を上げることができる。
【００１０】
噴霧ノズルによって形成される噴霧カーテンは、超音波洗浄の後に形成されることが好ましい。洗浄の終わりは、例えば光の信号および／または可聴信号などの信号によって使用者に指示されることが好ましい。噴霧ノズルには遅くともこのときに真水が供給され、こうして使用者が洗浄ユニットから洗浄品目を取り出すときに追加の清掃が実施される。
【００１１】
噴霧過程の持続時間は時間に関して制御されることが好ましい。これは、所定の時限によって、または洗浄しようとするゴルフ付属品の最後の品目が洗浄ユニットから取り外された後に、噴霧ユニットへの真水の供給をオフに切り替えるセンサによって行うことができる。
【００１２】
噴霧ノズルは、洗浄容器の次の洗浄のために使用できることが有利である。例えば、噴霧ノズルを、すべての洗浄液が洗浄容器から流れ出た後に作動させることができ、この結果、洗浄容器は噴霧で洗い落とされ、こうして泥土の残留粒子を洗浄容器から搬出することができる。この目的のために、噴霧ノズルを洗浄容器の壁区画の上に互いに向かい合わせて、具体的には各壁区画に備えることができる。そのうえ、噴霧ノズルを回転可能に取り付けることができ、具体的には噴射圧によって駆動されるように設計することができる。噴霧カーテンを生成するために、噴霧ノズルに１つだけの壁区画または複数の壁区画の上で真水を供給することができる。言うまでもなく、洗浄ユニットに備えられる噴霧ノズルはすべて、真水を分配するためにも作動することができる。
【００１３】
本発明のさらなる有利な改良品によれば、少なくとも１つの空気ノズルが洗浄ユニットの、特に噴霧ノズルの上方に備えられる。この結果、ゴルフ付属品に付着する液滴を吹き払うことができ、この結果、同時にゴルフ付属品は乾燥する。代替案として、手動乾燥を可能にする噴霧ガンを同様に装置に連結して、初期設定することができる。
【００１４】
空気ノズルには圧縮空気を供給することが好ましい。この圧縮空気は、ハウジングの中に配置されたコンプレッサまたは個別の圧縮空気管路によって供給することができる。エア・カーテンは、噴霧カーテンと同様な方式で作動され形成されることが好ましい。
【００１５】
本発明のさらなる有利な改良品によれば、洗浄ユニットは、洗浄容器への供給管路の中に入口弁と、洗浄容器からの出口管路の中に出口弁とを有し、これによって制御ユニットによって前記の入口弁と出口弁を作動させるようにすることが可能になる。この結果、所定回数の洗浄操作の後に、または特定の使用期間の後に洗浄液を自動的に取り替えることができる。洗浄容器の充てんおよび／または充てんレベルをモニタするセンサが備えられることが好ましい。
【００１６】
洗浄容器への供給管路における入口弁は、真水と洗浄添加剤とを洗浄容器に供給することができる混合弁の形態であることが好ましい。混合弁は、あるパーセンテージの洗浄添加剤を、洗浄容器への充てん中や洗浄容器への再充てん中に確実に混ぜることができるように、ベンチュリ・ノズルの形態にできることが好ましい。液体の供給に依存するさらなる計量オプションまたは混合操作が可能である。
【００１７】
好ましい一実施態様によれば、備えられる出口弁はクランプ・バルブである。この場合には、特にホース・クランプ・バルブが使用される。これは、排出される泥土の粒子によって損傷を受けないという利点を有する。さらにまた、このクランプ・バルブはメンテナンスを必要とせず、特に洗浄容器を後に続いてすすぐときに自動洗浄効果を有する。クランプ機構がモータによって作動され、排出管路の断面を締め付けて遮断することが好ましい。
【００１８】
装置の確実な動作のために、本発明はさらに、ハウジングの上に設けられるように回転可能に設計されたハウジング閉鎖手段を設ける。この結果、動く部品の数が著しく減少する。これによって耐用年数が長くなり、構造が簡単になる。本装置のハウジング閉鎖手段は、洗浄ユニットの使用許可の後に開錠される。この使用許可は、トークンを挿入することによって、またはマグネチック・ストライプもしくはチップ・モジュールを含み、特に非接触方式で照合可能な身分証明書の形態の使用認可手段を照合することによって行うことができる。開錠は、開放の目的のためにハウジング閉鎖手段を解放する。これによって、デバイスが動作していないときのデバイスの破損、誤用もしくは故意の汚損が確実に防止される。閉鎖手段は開錠の後に手動で開放される。特定の実施態様では、前記閉鎖手段を動力化された駆動部によって自動的に開放することもできる。
【００１９】
ハウジング閉鎖手段は保持デバイスによって開放状態に保持される。この保持デバイスは、装置の使用許可の後に活動化され、ハウジング閉鎖手段が開端にあるときに、ハウジング閉鎖手段を自動的に施錠する。保持デバイスは、電磁継手、保持磁石、または電気的に解放可能な施錠手段の形態であってもよい。
【００２０】
洗浄ユニットにゴルフ付属品を入れた後に、センサが完全な充てんを検知した後、保持デバイスを手動もしくは自動的に開錠することができる。
【００２１】
ハウジング閉鎖手段は、ハウジングの固有の重力によって開いているハウジングを閉鎖することが好ましい。この目的のために、ハウジング閉鎖手段の重心をその回転軸の外側に置くようにする。
【００２２】
けがを防止するために、ハウジング閉鎖手段を減衰手段によって減速させる方式で閉鎖運動させることが有利である。減衰手段は、閉鎖運動を減速させる摩擦要素またはばね要素であってもよい。代替案として、洗浄液の中に浸して運動を減速させるパドルまたは抵抗要素を備えることもできる。
【００２３】
超音波洗浄による洗浄過程は、ハウジング閉鎖手段が閉位置となったときに始ることが好ましい。この閉位置は、センサによってハウジング閉鎖手段の角位置を検査することによって、例えば計器送信機を使用して、または例えば、光バリアを遮断するか近接スイッチを操作するハウジング閉鎖手段の上に配置されたラグによって検出することができる。同じく、閉位置を検出するために端位置スイッチまたは近接スイッチを備えることができる。
【００２４】
洗浄ユニットは、ゴルフ付属品、特にゴルフ・クラブの存在を検査する少なくとも１つのセンサ、特に光バリアを含むことが好ましい。ハウジングの一実施態様では、ハウジング閉鎖手段によって閉鎖されることになる開口部からクラブのシャフトとグリップが突き出るようにする。洗浄容器の中に位置付けられたゴルフ・クラブが確認されると、閉位置はハウジング閉鎖手段がクラブのシャフトに当って止まっているときに確認され、洗浄過程が可能になる。これは、ハウジング閉鎖手段の上のセンサ・ストリップによって、またはハウジング閉鎖手段のこの位置を確認する対応して調節される光バリアまたは端位置センサによって、検出することができる。
【００２５】
これに加えて、ハウジング閉鎖手段をこの位置に停止させて、洗浄が完了した後にのみ再び解放するようにすることができる。
【００２６】
洗浄中および／または洗浄装置の使用中の個別のステップを、ハウジングの前面の表示装置によって、および／または可聴信号によって指示することができる。表示装置はまた、洗浄手順の開始、停止、または中断させるための付属のキー・エレメントを有する。
【００２７】
本発明と本発明のさらなる有利な実施態様や発展形態を、図面に示された実施形態を参照してあとに続く本文の中でより詳細に記載して説明する。本発明によれば、説明文や図面に含まれる特徴を、個別に、または任意の組合せで共に適用することができる。
【発明を解決するための最良の形態】
【００２８】
図１は、ゴルフ付属品、特にゴルフ・クラブやゴルフ・ボールを洗浄するための、本発明による装置１１の概略側面図である。図２は装置１１の前面図である。装置１１は、例えば装置１１を可動にするために複数のローラ１４の上に備えられたハウジング１２を含む。この結果、装置１１を越冬の部屋へ容易に移動させることができ、または競技のために所望の場所に容易に据え付けることができる。代替案として、固定されて垂直方向に調節可能な脚を備えることができる。
【００２９】
ハウジング１２は、ハウジング閉鎖手段１８が開放された後にアクセス可能な洗浄ユニット１６を含む。洗浄ユニット１６は、供給管路２２を通じて液体、特に洗浄液が充てんされ、排出管路２３を通じて空にされる洗浄容器２１を含む。洗浄容器を満たすために、制御ユニット２６によって作動させられる給液弁２４が供給管路２２の中に備えられている。供給管路２２には、公共の水道管によって、または水槽によって提供される真水が供給される。さらに、貯蔵容器２８からの洗浄添加剤が給液弁２４を通じて混合される。前記給液弁は、ベンチュリ・ノズルを備えた弁または調節可能な混合弁の形態でよい。洗浄容器２１の充てんは充てんレベル・センサ２７によってモニタされ、こうして洗浄容器２１が完全に充てんされた後に、給液弁２４は自動的にオフに切り替えられる。同時に、洗浄容器２１内の液面レベルもまた前記モニタリングの結果として調整される。
【００３０】
さらにまた、洗浄容器２１は１つまたは複数の壁区画の上に超音波発振器２９を有し、これらの超音波発振器２９は超音波発生器３０によって操作され、ゴルフ付属品、特にゴルフ・クラブ３１および／またはゴルフ・ボール３２を洗浄するために、洗浄容器２１の液体の中に超音波を発生させる。洗浄動作を実施するために、洗浄液は例えば３０°〜４０°間の温度に加熱される。この目的のために、パネル・ヒータ３３を準備して洗浄容器２１の下面に備えるか、または側壁区画の部分に備えることも好ましい。真水が供給されるので、温度センサ３４が液体の加熱を制御するのみならず、過熱の防止も行う。
【００３１】
洗浄容器２１は、洗浄容器２１の基部３７からある距離を置いてゴルフ・クラブを保持する格子またはバスケット３６を含む。この結果、除去された泥土の粒子は基部に沈むことになり、ゴルフ・クラブ３１の洗浄が基部３７の上に蓄積する泥土の粒子によって阻害されることなく、複数の洗浄サイクルが可能である。格子３６を洗浄容器２１の中に挿入し、必要に応じて取り出すことができる。これに加えて、格子３８を、ゴルフ・ボール３２を保持するための滑りガイドによって洗浄容器２１の中に挿入することができ、または回転機構によって洗浄液の中で回転させることができ、こうして洗浄の後に個別のゴルフ・ボール３２を容易に取り出すことが可能であることは有利である。
【００３２】
代替案として、１個または複数個のゴルフ・ボールを保持するためにチェーンの上に配置されたバスケットを備えることができ、バスケットを洗浄容器２１の中に挿入すること、およびバスケットを洗浄容器２１から取り出すことが可能である。
【００３３】
洗浄液と洗浄容器２１を、洗浄動作回数に応じて、またはある一定の時限の後に取り替えることができる。これは、制御ユニット２６によって検出し作動させることができる。これに応じて入口弁２４と出口弁２５が開かれる。出口弁２５は、泥土の粒子が洗浄液の中に混入するにもかかわらず完全な閉鎖が可能であるように形成されることが好ましい。例えば、メンテナンスを必要とせず自動洗浄効果を有するクランプ・バルブを備えることができる。管路の断面をゼロに減らす回転式閉鎖手段またはクランプ式閉鎖手段が、モータの作動によって前記弁を遮断することができる。
【００３４】
洗浄容器２１はさらにオーバーフロー部４３を備えているので、所定の液面レベルの上方まで追加導入された洗浄液が流出することができる。この結果、常に同じである洗浄条件を超音波発振器２９のために提供することができる。
【００３５】
洗浄ユニット１６はまた、図３に詳細に示す噴霧ユニット４１を有する。噴霧ユニット４１は少なくとも１つの噴霧ノズル４２を含み、噴霧ノズル４２は少なくとも３０°、好ましくは９０°の噴射角を有する。ゴルフ付属品が洗浄ユニット１６の中に導入されると液表面全体に、またはアクセス領域にわたって広がる噴霧カーテンを、洗浄容器２１の１つまたは複数の側壁に配置された複数の噴霧ノズル４２によって作り出すことができる。噴霧ノズル４２には真水が供給される。噴霧カーテンは、追加の圧力なしで形成されることが好ましい。噴霧ノズル４２は、ゴルフ付属品が取り出されるときに分配液体が噴霧ノズル４２によって噴霧されず、散乱しないように、液体に対して水平にまたは傾斜して備えられることが好ましい。したがって、洗浄液から取り出されるゴルフ付属品は洗い落とされ、噴霧ノズル４２によってもまた洗浄される。
【００３６】
噴霧カーテンの形成は、液体が洗浄容器２１の中に追加として導入されることを意味する。特定の液面レベルを通る液体はオーバーフロー部４３を通って流出することができ、または出口弁２１が所定の液面レベルを維持するために自動的に開かれる。この結果、洗浄液が比較的低い汚損度合いを有することが同時に可能である。
【００３７】
噴霧カーテンの上方に少なくとも１つの空気ノズル４５によってエア・カーテンが形成されることは好ましい。
【００３８】
洗浄容器２１の基部３７は、液体を取り替えるときに基部の上に蓄積した沈降物が自動的に排出されるように、傾けられることが好ましい。これに加えて、噴霧ノズル４２は真水を分配することができ、これによって、洗浄液がすべて放出された後に、次に続く洗浄を噴霧ノズル４２によって実施することができる。この結果、排出弁２５を自己洗浄することもできる。
【００３９】
洗浄ユニット１６は、ゴルフ付属品を出し入れするためのハウジング閉鎖手段１８が開かれた後にアクセス可能になる。この結果、洗浄ユニット１６の故意の汚損またはハウジング内部に対する破損が防止される。
【００４０】
ハウジング閉鎖手段１８を、閉位置において完全に施錠することができる。この閉鎖手段を使用者識別手段によって開錠することができる。使用者の確認は、トークンを挿入する形態をとるか、またはハウジング１２の中に備えられたカード読取システムによって確認される身分証明書によって実施されてもよい。例えば、マグネチック・ストライプ読取器、またはメモリチップ検査システム、またはシステムの非接触検査（ＲＦＩＤシステム）を備えてもよい。ハウジング閉鎖手段１８が開錠された後、使用者はハウジング閉鎖手段１８を開位置４４に移動させることができる。洗浄ユニット１６はアクセス可能となり、ゴルフ付属品を挿入することができる。
【００４１】
一実施形態では、クラブのシャフトがハウジング開口部の支え面４６または支え縁部に対して静止するようになっており、グリップ４７はハウジング１２から突き出ている。支え面４６は、各シャフトを個別に保持するために丸い収容区画を有する棚の形態をとってもよい。別の実施形態では、ゴルフ・クラブ３１をハウジング１２の中に完全に配置することができる。
【００４２】
挿入されたゴルフ付属品は、センサ４９によって識別することができる。これは例えば光バリア、または切替えストリップ、または複数の近接スイッチなどによって実施してもよい。ゴルフ付属品の位置決めが確認された後、またはユーザによるキー操作の後に、ハウジング閉鎖手段１８を開位置４４に保持していた保持デバイス５１が解放され開錠される。ハウジング閉鎖手段１８は、その固有の重力のため、および／または釣合いおもり５５のために回転軸５３の周りを回転する。これに加えて、ばね要素または摩擦要素の形態の減衰手段５４が、減速された閉鎖運動を実施することができる。
【００４３】
閉位置５６となった後に、洗浄過程が実行される。すなわち超音波発振器２９が超音波を発生させる。ゴルフ・クラブ３１が完全にハウジング１２の中に収められる実施形態では、ハウジング閉鎖手段１８が密封縁部５７に対して静止していることを確認することによって、またはラグが光バリアを遮断することによって、閉位置５６を確認することができる。ハウジング１２から突き出たゴルフ・クラブ３１の場合には、閉位置５６は、同様にゴルフ・クラブ３１の存在を確認する光バリアによって確認される。
【００４４】
時間的に限られる超音波洗浄の後に、噴霧ユニット２１に真水が供給される。これを洗浄過程の終わりと組み合わせることができ、またはハウジング閉鎖手段１８が開かれると作動することができる。これによって、洗浄ユニット１６から中身が出されると噴霧カーテンが確実に生成されることになり、ゴルフ付属品は洗浄液から取り出された後に追加すすぎがなされ、汚れた洗浄液が取り除かれる。
【００４５】
ゴルフ付属品が完全に取り出された後、保持デバイス５１を施錠することによってハウジング閉鎖手段１８が閉鎖され、あるいは追加施錠される。ゴルフ付属品の完全な取出しは光バリアによって確認される。これに加えて、ハウジング１２を自動的に閉鎖してハウジング閉鎖手段１８を施錠するタイマ回路を備えることもできる。
【００４６】
指示器とオペレータ制御表示装置６０が、ハウジング１２の面に備えられている。この表示装置は、装置の個々の状態を示すことができる。メニューにナビゲートされることによって、使用者は作業ステップのコースをたどることができ、またはキー要素を使用して、介入することができる。トークン、ＩＣカード、もしくはマグネチック・ストライプ・カード用のスロット、または非接触データ伝送用の区域を、使用される支払いや識別システムに応じて、指示器とオペレータ制御表示装置に備えることができる。
【００４７】
ハウジング１２は、前面や側壁に、広告区域として使用することができる平坦で閉じられた区域６１を有することが好ましい。これに加えて、ハウジング閉鎖手段１８も広告区域を有することができる。
【００４８】
ゴルフ付属品洗浄用の装置１１を使用するためのアクセス認可を、クラブ会員カードの中に組み込みことができる。これに加えて、個別のカードを個々のスポンサーによって発行することもでき、前記カードは信用を与えられ、または一般に使用許可を与える。これに加えて、装置の設置個所とは関係なく使用可能であるように、すべての装置１１のための標準システムが準備される。
【００４９】
さらにまた、制御ユニット２６には遠隔データ伝送用の接続部を装備していることが有利であり、この結果として、正しい動作を保証するために、遠隔検査、遠隔メンテナンス、状態検査が可能になる。特に、洗浄液の交換や洗浄剤の追加をここで検査することができる。
【００５０】
本装置の上記の特徴はすべて本発明に最も重要なもので、任意の望みの方式で互いに組み合わせることができる。
【図面の簡単な説明】
【００５１】
【図１】本発明による装置の概略側面図である。
【図２】本発明による装置の概略前面図である。
【図３】噴霧カーテンを備えた洗浄ユニットの概略部分図である。
【図１】
2008534187.tif 000003
【図２】
2008534187.tif 000004
【図３】
2008534187.tif 000005
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
洗浄液を充てんすることができる洗浄容器（２１）を含む少なくとも１つの洗浄ユニット（１６）を収容するためのハウジング（１２）と、前記洗浄容器（２１）に付属して、前記洗浄容器（２１）の中に位置する洗浄液の中に超音波を発生させる超音波発生器（２９）とを有し、ゴルフ・クラブを前記洗浄容器（２１）の中に前記ハウジング開口部の支え面（４６）にまたは完全に前記ハウジング（１２）の中に位置付けた後にゴルフ・クラブを配置して、ゴルフ付属品、特にゴルフ・クラブとゴルフ・ボールを洗浄するための装置であって、前記洗浄容器（２１）中の洗浄液の表面を覆って広がる噴霧カーテンを形成する噴霧ユニット（４１）が、洗浄ユニット（１６）中の洗浄液の液面レベルの上方に備えられた少なくとも１つの噴霧ノズル（４２）を含むこと、および前記少なくとも１つの噴霧ノズル（４２）の上方に少なくとも１つの空気ノズルが備えられ、圧縮空気が前記少なくとも１つの空気ノズルに供給され、その結果エア・カーテンが前記洗浄容器（２１）と前記噴霧カーテンの上方に形成されることを特徴とする装置。
【請求項２】
前記噴霧ノズル（４２）が少なくとも１つの少なくとも３０°の噴射角を有し、複数の噴霧ノズル（４２）が、その噴射角が少なくとも部分的に重なり合うように互いに対して形成されることを特徴とする請求項１に記載の装置。
【請求項３】
前記少なくとも１つの噴霧ノズル（４２）が、前記液面レベルに対して水平にまたは傾斜して配置されていることを特徴とする先行する請求項１または２に記載の装置。
【請求項４】
前記少なくとも１つの噴霧ノズル（４２）が、真水を分配するために備えられていることを特徴とする先行する請求項のいずれか一項に記載の装置。
【請求項５】
真水を分配するための前記少なくとも１つの噴霧ノズル（４２）が、超音波洗浄動作が終わった後に制御されることを特徴とする先行する請求項のいずれか一項に記載の装置。
【請求項６】
噴霧過程が、これが時間に関して制限されるように制御されることを特徴とする先行する請求項のいずれか一項に記載の装置。
【請求項７】
前記少なくとも１つの噴霧ノズル（４２）が、空になった洗浄容器（２１）の次に続く洗浄のために制御されることを特徴とする先行する請求項のいずれか一項に記載の装置。
【請求項８】
前記洗浄ユニット（１６）が、供給管路（２２）の中に配置された少なくとも１つの給液弁（２４）と、前記洗浄容器（２１）から出ている排出管路（２３）の中に配置された排出弁（２５）とを有し、制御ユニット（２６）が前記排出弁（２５）を作動させることが可能であることを特徴とする先行する請求項のいずれか一項に記載の装置。
【請求項９】
前記入口弁（２４）が混合弁の形態をなし、前記混合弁を通じて真水と洗浄添加剤を前記洗浄容器（２１）に供給できることを特徴とする請求項８に記載の装置。
【請求項１０】
備えられた前記出口弁（２５）がクランプ・バルブであることを特徴とする請求項８に記載の装置。
【国際調査報告】
2008534187.tif 000006
2008534187.tif 000007
2008534187.tif 000008
2008534187.tif 000009
2008534187.tif 000010
2008534187.tif 000011
2008534187.tif 000012
2008534187.tif 000013
2008534187.tif 000014
2008534187.tif 000015